(57)【要約】【課題】意匠性の低下を防止する。【解決手段】車両用計器１０は、少なくとも第１表示領域および第２表示領域を有する透過型の第１表示部１１と、第１表示部１１の背後から第１表示部１１を照明するセグメント光源と、第１表示領域に所定画像を表示させ、第２表示領域に所定の表示を行なわせ、セグメント光源を設定輝度で点灯させる表示制御部１３と、を備える。表示制御部１３は、演出指示信号の入力に応じて、第１表示領域に所定画像とは異なる演出画像を表示させ、第２表示領域を暗転表示させ、設定輝度が所定輝度よりも大きい場合にセグメント光源を所定輝度で点灯させる。【選択図】図１
2015075475.tif 000002
【特許請求の範囲】
【請求項１】
少なくとも第１表示領域および第２表示領域を有する透過型の表示部と、
前記表示部の背後から前記表示部を照明する光源と、
前記第１表示領域に所定画像を表示させ、前記第２表示領域に所定の表示を行なわせ、前記光源を設定輝度で点灯させる制御手段と、
を備え、
前記制御手段は、演出指示信号の入力に応じて、前記第１表示領域に前記所定画像とは異なる演出画像を表示させ、前記第２表示領域を暗転表示させ、前記設定輝度が所定輝度よりも大きい場合に前記光源を前記所定輝度で点灯させる、
ことを特徴とする車両用計器。
【請求項２】
前記制御手段は、
前記設定輝度が前記所定輝度よりも小さい場合に、前記演出指示信号の入力に応じて、前記光源を前記設定輝度で点灯させる、
ことを特徴とする請求項１に記載の車両用計器。
【請求項３】
前記表示部の近傍に配置され、前記制御手段の制御により所定表示を行なう第２表示部を備え、
前記第２表示領域は、前記第１表示領域と前記第２表示部との間に配置され、
前記制御手段は、前記演出指示信号の入力に応じて、前記第２表示部に前記所定表示とは異なる演出表示を行なわせる、
ことを特徴とする請求項１または請求項２に記載の車両用計器。
【請求項４】
前記第１表示領域と前記第２表示領域とは車両左右方向に配列されている、
ことを特徴とする請求項１から請求項３の何れか１つに記載の車両用計器。
【請求項５】
前記第２表示部は、目盛り部と、前記目盛り部を指示する指針部と、を備え、
前記制御手段は、前記演出指示信号の入力に応じて、
前記第２表示部に前記指針部が前記目盛り部の最小値と最大値との間を繰り返し往復遷移するスイープ表示を行なわせ、
前記第１表示領域に前記演出画像として前記第２表示部の外形に沿って最小数と最大数との間で繰り返し往復遷移するように順次表示される複数のセグメント画像を表示させ、
前記第２表示部における前記最小値および前記最大値に係る表示と前記第１表示領域における前記最小数および前記最大数に係る表示とを同期させる、
ことを特徴とする請求項３に記載の車両用計器。
【発明の詳細な説明】
【技術分野】
【０００１】
この発明は、車両用計器に関する。
【背景技術】
【０００２】
従来、車両の乗員から見て液晶表示器の背後から光を透過させて液晶表示器の表示項目を表示させる表示装置が知られている（例えば、特許文献１参照）。
【先行技術文献】
【特許文献】
【０００３】
【特許文献１】特開２０１１−９３４５４号公報
【発明の概要】
【発明が解決しようとする課題】
【０００４】
ところで、上記従来技術に係る表示装置においては、液晶表示器の背景が透けて見えることによる意匠性の低下を防止することが望まれている。
【０００５】
本発明は上記事情に鑑みてなされたもので、意匠性の低下を防止することが可能な車両用計器を提供することを目的としている。
【課題を解決するための手段】
【０００６】
上記課題を解決して係る目的を達成するために、本発明は以下の態様を採用した。
（１）本発明の一態様に係る車両用計器は、少なくとも第１表示領域（例えば、実施形態での第１表示領域２１）および第２表示領域（例えば、実施形態での第２表示領域２２）を有する透過型の表示部（例えば、実施形態での第１表示部１１）と、前記表示部の背後から前記表示部を照明する光源（例えば、実施形態でのセグメント光源３３）と、前記第１表示領域に所定画像を表示させ、前記第２表示領域に所定の表示を行なわせ、前記光源を設定輝度で点灯させる制御手段（例えば、実施形態での表示制御部１３）と、を備え、前記制御手段は、演出指示信号の入力に応じて、前記第１表示領域に前記所定画像とは異なる演出画像を表示させ、前記第２表示領域を暗転表示させ、前記設定輝度が所定輝度よりも大きい場合に前記光源を前記所定輝度で点灯させる。
【０００７】
（２）上記（１）に記載の車両用計器では、前記制御手段は、前記設定輝度が前記所定輝度よりも小さい場合に、前記演出指示信号の入力に応じて、前記光源を前記設定輝度で点灯させてもよい。
【０００８】
（３）上記（１）または（２）に記載の車両用計器は、前記表示部の近傍に配置され、前記制御手段の制御により所定表示を行なう第２表示部（例えば、実施形態での第２表示部１２）を備え、前記第２表示領域は、前記第１表示領域と前記第２表示部との間に配置され、前記制御手段は、前記演出指示信号の入力に応じて、前記第２表示部に前記所定表示とは異なる演出表示を行なわせてもよい。
【０００９】
（４）上記（１）から（３）の何れか１つに記載の車両用計器では、前記第１表示領域と前記第２表示領域とは車両左右方向に配列されてもよい。
【００１０】
（５）上記（３）に記載の車両用計器では、前記第２表示部は、目盛り部（例えば、実施形態での指標部４３）と、前記目盛り部を指示する指針部（例えば、実施形態での指針４２）と、を備え、前記制御手段は、前記演出指示信号の入力に応じて、前記第２表示部に前記指針部が前記目盛り部の最小値と最大値との間を繰り返し往復遷移するスイープ表示を行なわせ、前記第１表示領域に前記演出画像として前記第２表示部の外形に沿って最小数と最大数との間で繰り返し往復遷移するように順次表示される複数のセグメント画像を表示させ、前記第２表示部における前記最小値および前記最大値に係る表示と前記第１表示領域における前記最小数および前記最大数に係る表示とを同期させてもよい。
【発明の効果】
【００１１】
上記（１）に記載の態様に係る車両用計器によれば、演出指示信号の入力に応じて演出動作を行なう際に、光源を設定輝度以下の所定輝度で点灯させることにより、演出画像が表示される第１表示領域と暗転表示の第２表示領域との輝度の差が大きくなることを防止する。これにより、暗転表示の第２表示領域で背景の透けが生じる場合であっても、この背景の透けが目立つことを防止することができる。
【００１２】
さらに、上記（２）の場合、設定輝度を維持したとしても、暗転表示の第２表示領域における背景の透けが目立つことを防止することができる。
さらに、上記（３）の場合、暗転表示の第２表示領域を間において、第１表示領域の演出画像と第２表示部の演出表示とを際立たせることができる。
さらに、上記（４）の場合、車両左右方向に第１表示領域、第２表示領域、および第２表示部が配置されるので、車両左右方向の広い領域で演出動作を行なうことができる。
さらに、上記（５）の場合、第１表示領域の演出画像と第２表示部の演出表示との統一感を向上させることができる。
【図面の簡単な説明】
【００１３】
【図１】本発明の実施形態に係る車両用計器の構成図である。
【図２】本発明の実施形態に係る車両用計器の第１表示部および第２表示部を示す図である。
【図３】本発明の実施形態に係る車両用計器の第１表示部の構成を示す断面図である。
【図４】本発明の実施形態に係る車両用計器の第１表示部のセグメント光源と、第２表示部の指針および指標部との構成を示す断面図である。
【図５】本発明の実施形態に係る車両用計器の演出動作時の第１表示領域および第２表示領域の表示例を示す図である。
【図６】本発明の実施形態に係る車両用計器の車両始動時における、指針指示値、指針輝度、第１表示領域のセグメント画像、および第１表示部輝度の変化の一例を示す図である。
【図７】本発明の実施形態に係る車両用計器の車両停止時における、指針指示値、指針輝度、第１表示領域のセグメント画像、および第１表示部輝度の変化の一例を示す図である。
【発明を実施するための形態】
【００１４】
以下、本発明の一実施形態に係る車両用計器について添付図面を参照しながら説明する。
本実施の形態による車両用計器１０は、例えばハイブリッド車両などの車両に搭載され、図１に示すように、第１表示部１１と、第２表示部１２と、表示制御部１３と、記憶部１４と、を備えている。
第１表示部１１および第２表示部１２は、図２に示すように、インストルメントパネル１に設けられ、車両左右方向に配列され、車両の運転席（図示略）に着座した乗員から視認可能に配置されている。
【００１５】
第１表示部１１は、透過型の液晶表示装置であって、車両の運転席に着座した乗員から見て、メータパネル１Ａ上の中央部から左側にずれた位置に配置された複数の表示領域を備えている。複数の表示領域は、例えば、車両の走行用モータの力行および回生の度合いをセグメント画像の数によって示す第１表示領域２１と、車両の乗員から見て第１表示領域２１の右隣に配置され、シフトポジション、時刻、および温度など情報を表示する第２表示領域２２と、などである。
第１表示部１１は、図３に示すように、車両の乗員の手前側から奥側に向かい順次配置された、液晶表示器３１と、光拡散板などを有する導光部３２と、セグメント光源３３と、を備えている。セグメント光源３３は、図４に示すように、格子状に区分された複数の光源３３ａを備え、車両の乗員から見て液晶表示器３１の背後から液晶表示器３１を照明する。
【００１６】
第２表示部１２は、例えば、車両の速度に応じた表示を行なう機械式の速度計であって、メータパネル１Ａ上の中央部に設けられている。第２表示部１２は、車両の乗員の手前側から奥側に向かい順次配置された、表示板４１と、指針４２と、指標部４３と、アクチュエーター（図示略）と、を備えている。表示板４１は、車両の乗員から見て背後から照明される目盛りおよび文字などを備えている。指針４２は、アクチュエーターによって回転駆動されるとともに、導光体（図示略）などを介して発光ダイオードなどの光源（図示略）によって照明される。指標部４３は、指針４２によって指示される目盛り４３ａなどを備え、導光体（図示略）などを介して発光ダイオードなどの光源（図示略）によって照明される。
なお、第１表示部１１の第２表示領域２２は、車両の左右方向で第１表示領域２１と第２表示部１２との間に配置されている。
【００１７】
表示制御部１３は、第１表示部１１および第２表示部１２での表示を制御する。
記憶部１４は、第１表示部１１および第２表示部での表示に必要とされる各種データ、例えば第１表示部１１に表示される所定画像および演出画像などを記憶する。
【００１８】
本実施の形態による車両用計器１０は上記構成を備えており、次に、この車両用計器１０の動作、つまり表示制御部１３の制御動作について説明する。
【００１９】
表示制御部１３は、車両の走行時などのイグニッションＯＮの状態において、第１表示領域２１に所定画像を表示させ、第２表示領域２２に所定の表示を行なわせ、セグメント光源３３の複数の光源３３ａを設定輝度で点灯させる。さらに、第２表示部１２に所定表示として、車両の速度に応じた表示、例えば車両の速度に対応する目盛り４３ａを指針４２により指示する表示などを行なわせる。
第１表示領域２１の所定画像は、図２および図５に示すように、車両の走行用モータ（図示略）の力行および回生の度合いを示す複数のセグメント画像Ｐａ，Ｐｂである。力行および回生の各々の複数のセグメント画像Ｐａ，Ｐｂは、第２表示部１２の外形に沿った領域に、所定の最小数と所定の最大数との間の表示数で順次表示される。例えば、力行の度合いが大きくなることに伴い、力行のセグメント画像Ｐａの表示数が最小数から最大数に向かい増大傾向に変化する。また、回生の度合いが大きくなることに伴い、回生のセグメント画像Ｐｂの表示数が最小数から最大数に向かい増大傾向に変化する。
【００２０】
表示制御部１３は、イグニッションがＯＦＦからＯＮに切り替えられた車両の始動時、またはイグニッションがＯＮからＯＦＦに切り替えられた車両の停止時などにおいて、演出指示信号を生成し、この演出指示信号の入力に応じて、演出動作を行なう。表示制御部１３は、演出動作として、第１表示領域２１に所定画像とは異なる演出画像を表示させ、第２表示領域２２を暗転表示させ、セグメント光源３３の設定輝度が所定輝度よりも大きい場合に複数の光源３３ａを所定輝度で点灯させる。所定輝度は、演出画像が表示される第１表示領域２１に対して、暗転表示の第２表示領域２２で背景の透けが生じる場合であっても、この背景の透けが目立たない程度の低い輝度である。なお、表示制御部１３は、セグメント光源３３の設定輝度が所定輝度よりも小さい場合には、複数の光源３３ａを設定輝度で点灯させる。
さらに、表示制御部１３は、第２表示部１２に所定表示とは異なる演出表示を行なわせる。
【００２１】
例えば、表示制御部１３は、第１表示領域２１に演出画像として第２表示部１２の外形に沿って最小数と最大数との間で繰り返し往復遷移するように順次表示される複数のセグメント画像（つまり、力行および回生の各々の複数のセグメント画像Ｐａ，Ｐｂ）を表示させる。さらに、表示制御部１３は、第２表示部１２に演出表示として指針４２が目盛り４３ａの最小値Ｍａと最大値Ｍｂとの間を繰り返し往復遷移するスイープ表示を行なわせる。なお、表示制御部１３は、第１表示領域２１の演出画像の表示と、第２表示部１２の演出表示とを同期させる。つまり、表示制御部１３は、第１表示領域２１において力行および回生の各々の複数のセグメント画像Ｐａ，Ｐｂが最小数の表示数となるときに、第２表示部１２において指針４２が目盛り４３ａの最小値を指示するように設定する。さらに、第１表示領域２１において力行および回生の各々の複数のセグメント画像Ｐａ，Ｐｂが最大数の表示数となるときに、第２表示部１２において指針４２が目盛り４３ａの最大値を指示するように設定する。
【００２２】
（車両始動時の演出動作）
以下に、車両始動時における、指針４２が指示する目盛り４３ａの指示値（指針指示値）、指針４２の輝度（指針輝度）、第１表示領域２１における力行および回生の各々の複数のセグメント画像Ｐａ，Ｐｂの表示数（第１表示領域セグメント画像）、および第１表示部１１のセグメント光源３３の輝度（第１表示部輝度）の変化の一例について説明する。
【００２３】
先ず、図６に示す時刻ｔ１より前におけるイグニッションＯＦＦの状態では、表示制御部１３は、指針指示値を最小値（ＭＩＮ、例えばゼロ）とし、指針輝度をゼロとし、第１表示領域セグメント画像を最小数（ＭＩＮ、例えばゼロ）とし、第１表示部輝度をゼロとする。
次に、時刻ｔ１にてイグニッションＯＦＦからイグニッションＯＮの状態に切り替えられると、表示制御部１３は演出動作を開始し、指針輝度をゼロから１００％に向かい徐々に増大させ、第２表示領域２２を暗転表示させた状態で第１表示部輝度をゼロから所定輝度Ｌ１に向かい徐々に増大させる。
【００２４】
次に、指針輝度が１００％に到達するとともに第１表示部輝度が所定輝度Ｌ１に到達した時刻ｔ２において、表示制御部１３は、指針指示値を最小値から最大値（ＭＡＸ）に向かい徐々に増大させ、第１表示領域セグメント画像を最小数から最大数（ＭＡＸ）に向かい徐々に増大させる。
次に、指針指示値および第１表示領域セグメント画像が各最大値に到達した時刻ｔ３において、表示制御部１３は、指針指示値を最大値から最小値に向かい徐々に低下させ、第１表示領域セグメント画像を最大数から最小数に向かい徐々に低下させる。
【００２５】
次に、指針指示値および第１表示領域セグメント画像が各最小値に到達した時刻ｔ４において、表示制御部１３は、第１表示部輝度を所定輝度Ｌ１から設定輝度Ｌ２に向かい徐々に増大させる。
次に、第１表示部輝度が設定輝度Ｌ２に到達した時刻ｔ５において、表示制御部１３は演出動作を終了し、通常動作を開始する。なお、通常動作は、上述したように、車両の走行時などのイグニッションＯＮの状態における動作である。つまり、表示制御部１３は、第１表示領域２１に所定画像を表示させ、第２表示領域２２に所定の表示を行なわせ、セグメント光源３３の複数の光源３３ａを設定輝度で点灯させる。さらに、第２表示部１２に所定表示として、車両の速度に応じた表示、例えば車両の速度に対応する目盛りを指針４２により指示する表示などを行なわせる。
【００２６】
（車両停止時の演出動作）
以下に、車両停止時における、指針４２が指示する目盛り４３ａの指示値（指針指示値）、指針４２の輝度（指針輝度）、第１表示領域２１における力行および回生の各々の複数のセグメント画像Ｐａ，Ｐｂの表示数（第１表示領域セグメント画像）、および第１表示部１１のセグメント光源３３の輝度（第１表示部輝度）の変化の一例について説明する。
【００２７】
先ず、図７に示す時刻ｔ１１より前におけるイグニッションＯＮの状態では、表示制御部１３は、通常動作を実行し、指針指示値を車両の速度に応じた値とし、指針輝度を１００％とし、第１表示領域セグメント画像を走行用モータの力行および回生の度合いに応じた表示数とし、第１表示部輝度を設定輝度Ｌ２とする。
次に、時刻ｔ１１にてイグニッションＯＮからイグニッションＯＦＦの状態に切り替えられると、表示制御部１３は通常動作を終了するとともに演出動作を開始し、指針輝度を１００％からゼロに向かい徐々に低下させ、第２表示領域２２の所定情報（例えば、シフトポジションなど）以外の情報を暗転表示させた状態で第１表示部輝度を設定輝度Ｌ２から所定輝度Ｌ１に向かい徐々に低下させる。
【００２８】
次に、指針輝度がゼロに到達するとともに第１表示部輝度が所定輝度Ｌ１に到達した時刻ｔ１２以降において、表示制御部１３は、第２表示領域２２の所定情報（例えば、シフトポジションなど）の表示を継続する。そして、所定時間経過後の時刻ｔ１３において、表示制御部１３は、第１表示部輝度を所定輝度Ｌ１からゼロに向かい徐々に低下させる。
次に、第１表示部輝度がゼロに到達した時刻ｔ１４において、表示制御部１３は演出動作を終了し、停止状態に移行する。
【００２９】
上述したように、本実施形態による車両用計器１０によれば、演出指示信号の入力に応じて演出動作を行なう際に、セグメント光源３３を設定輝度以下の所定輝度で点灯させることにより、演出画像が表示される第１表示領域２１と暗転表示の第２表示領域２２との輝度の差が大きくなることを防止する。これにより、暗転表示の第２表示領域２２で背景の透けが生じる場合であっても、この背景の透けが目立つことを防止することができる。
さらに、セグメント光源３３の設定輝度が所定輝度よりも小さい場合には、複数の光源３３ａを設定輝度で点灯させたとしても、暗転表示の第２表示領域２２における背景の透けが目立つことを防止することができる。
さらに、暗転表示の第２表示領域２２を間において、第１表示領域２１の演出画像と第２表示部１２の演出表示とを際立たせることができる。
さらに、車両左右方向に第１表示領域２１、第２表示領域２２、および第２表示部１２が配置されるので、車両左右方向の広い領域で演出動作を行なうことができる。
さらに、第１表示領域２１に演出画像として第２表示部１２の外形に沿って順次表示される複数のセグメント画像（つまり、力行および回生の各々の複数のセグメント画像Ｐａ，Ｐｂ）を表示させるので、第１表示領域２１の演出画像と第２表示部１２の演出表示との統一感を向上させることができる。
【００３０】
上述の実施形態は、例として提示したものであり、発明の範囲を限定することは意図していない。上述の新規な実施形態は、その他の様々な形態で実施されることが可能であり、発明の要旨を逸脱しない範囲で、種々の省略、置き換え、変更を行うことができる。上述の実施形態やその変形は、発明の範囲や要旨に含まれるとともに、特許請求の範囲に記載された発明とその均等の範囲に含まれる。
【符号の説明】
【００３１】
１０  車両用計器
１１  第１表示部（表示部）
１２  第２表示部（第２表示部）
１３  表示制御部（制御手段）
２１  第１表示領域
２２  第２表示領域
３３  セグメント光源（光源）
４２  指針（指針部）
４３  指標部（目盛り部）
【図１】
2015075475.tif 000003
【図２】
2015075475.tif 000004
【図３】
2015075475.tif 000005
【図４】
2015075475.tif 000006
【図５】
2015075475.tif 000007
【図６】
2015075475.tif 000008
【図７】
2015075475.tif 000009